Podtech/llm-jp-corpus-v4-ja_patent huggingface dataset:
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
GLP-1アゴニスト又はその医薬的に許容可能な塩を含んでなる、初期の心臓病又は初期の心臓血管疾患を治療又は予防するための医薬組成物。
【請求項２】
前記初期の心臓病又は初期の心臓血管疾患が、左心室肥大、冠動脈疾患、本態性高血圧症、急性高血圧性緊急症、心筋症、心不全、運動負荷耐性、慢性心不全、不整脈、心臓性リズム異常、シンコピー(syncopy)、アテローム性動脈硬化症、軽症慢性心不全、狭心症、心臓バイパス再閉塞、間欠性跛行(atheroschlerosis oblitterens)、拡張機能障害、及び収縮機能障害からなる群から選択される、請求項１に記載の医薬組成物。
【請求項３】
GLP-1アゴニスト又はその医薬的に許容可能な塩を含んでなる、必要とする患者の血漿及び／又は心臓組織中のBNPレベルを低減させるための医薬組成物。
【請求項４】
患者が糖尿病患者である、請求項１ないし３のいずれか１項に記載の医薬組成物。
【請求項５】
患者が非糖尿病患者である、請求項１ないし３のいずれか１項に記載の医薬組成物。
【請求項６】
前記GLP-1アゴニストが、GLP-1(7-36)-アミド、 GLP-1(7-37)、GLP-1(7-36)-アミド類似体、GLP-1(7-37)類似体、又はこれらのいずれかの誘導体からなる群から選択される、請求項１ないし５のいずれか１項に記載の医薬組成物。
【請求項７】
GLP-1アゴニストが、GLP-1(7-36)-アミドの誘導体、 GLP-1(7-37)、GLP-1(7-36)-アミド類似体又はGLP-1(7-37)類似体で、親油性置換基を含むものである、請求項１ないし６のいずれか１項に記載の医薬組成物。
【請求項８】
GLP-1アゴニストが、Arg34、 Lys26(Nε-(γ-Glu(Nα-ヘキサデカノイル)))-GLP-1(7-37)である、請求項１ないし７のいずれか１項に記載の医薬組成物。
【請求項９】
GLP-1アゴニストが、Gly8-GLP-1(7-36)-アミド、 Gly8-GLP-1(7-37)、Val8-GLP-1(7-36)-アミド、Val8-GLP-1(7-37)、 Val8Asp22-GLP-1(7-36)-アミド、Val8Asp22-GLP-1(7-37) 、Val8Glu22-GLP-1(7-36)-アミド、Val8Glu22-GLP-1(7-37)、Val8Lys22-GLP-1(7-36)-アミド、Val8Lys22-GLP-1(7-37)、 Val8Arg22-GLP-1(7-36)-アミド、Val8Arg22-GLP-1(7-37)、Val8His22-GLP-1(7-36)-アミド、Val8His22-GLP-1(7-37)、それらの類似体及びこれらのいずれかの誘導体からなる群から選択される、請求項６に記載の医薬組成物。
【請求項１０】
GLP-1アゴニストが、安定したGLP-1類似体／誘導体である、請求項６ないし９のいずれか１項に記載の医薬組成物。
【請求項１１】
GLP-1アゴニストが、エキセンディン-4、エキセンディン-4類似体、又はこれらのいずれかの誘導体である、請求項１ないし５のいずれか１項に記載の医薬組成物。
【請求項１２】
GLP-1アゴニストが、安定したエキセンディン-4類似体／誘導体である、請求項１１に記載の医薬組成物。
【請求項１３】
医薬組成物が非経口投与に適している、請求項１ないし１２のいずれか１項に記載の医薬組成物。
【請求項１４】
医薬組成物が、バッファー、等張剤及び防腐剤を含有する、請求項１ないし１３のいずれか１項に記載の医薬組成物。
【請求項１５】
医薬組成物が、静脈内又は皮下投与に適している、請求項１ないし１４のいずれか１項に記載の医薬組成物。
【請求項１６】
医薬組成物が、注射による投与に適している、請求項１３ないし１５のいずれか１項に記載の医薬組成物。
【請求項１７】
医薬組成物が、注入による投与に適している、請求項１３ないし１５のいずれか１項に記載の医薬組成物。
【請求項１８】
医薬組成物が、約０．５μｇ／ｋｇ／日〜約２０μｇ／ｋｇ／日のGLP-1アゴニストの用量で送達されるのに適した形態である、請求項１ないし１７のいずれか１項に記載の医薬組成物。
【請求項１９】
医薬組成物が、約０．１μｇ／ｋｇ／日〜約２μｇ／ｋｇ／日のGLP-1アゴニストの用量で送達されるのに適した形態である、請求項１ないし１７のいずれか１項に記載の医薬組成物。
【請求項２０】
治療又は予防が、１週間を超えて、好ましくは４週間を超えて、さらに好ましくは３ヶ月を超えて、より好ましくは６ヶ月を超えている、請求項１ないし１９のいずれか１項に記載の医薬組成物。
【請求項２１】
治療又は予防が、一又は複数のさらなる医薬剤と組合せられる、請求項１ないし２０のいずれか１項に記載の医薬組成物。
【請求項２２】
前記さらなる医薬剤が、抗糖尿病剤、抗肥満剤、脂質調節剤、抗高血圧剤、及び抗骨粗鬆症剤からなる群から選択される、請求項２１に記載の医薬組成物。
【請求項２３】
抗高血圧剤がアンギオテンシン転換酵素インヒビターである、請求項２２に記載の医薬組成物。
【請求項２４】
アンギオテンシン転換酵素インヒビターが、カプトプリル、エナラプリル、フォシノプロール、リスノプロール、キナプリル、ラミプリル及びスピラプリルからなる群から選択される、請求項２３に記載の医薬組成物。
【請求項２５】
抗高血圧剤が、ロサルタン等のアンギオテンシンIIレセプターアンタゴニストである、請求項２２に記載の医薬組成物。
【請求項２６】
抗高血圧剤が、非サブタイプ選択性β-アドレナリン作用アンタゴニストである、請求項２２に記載の医薬組成物。
【請求項２７】
非サブタイプ選択性β-アドレナリン作用アンタゴニストが、プロプラノロール、ナドロール、チモロール及びピンドロールからなる群から選択される、請求項２６に記載の医薬組成物。
【請求項２８】
抗高血圧剤が、選択性β１-アドレナリン作用アンタゴニストである、請求項２２に記載の医薬組成物。
【請求項２９】
選択性β１-アドレナリン作用アンタゴニストが、メトプロロール、アテノロール、エスモロール及びアセブトロールからなる群から選択される、請求項２８に記載の医薬組成物。
【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
(a)  ビルベリーエキス（Vaccinium myrtillus）、アカツメクサ花エキス（Trifolium pratense）、ブドウエキス（Vitis vinifera）およびティービネンシス（Thea vinensis）よりなる群から選択される少なくとも２つの抽出物、および
(b)  ビタミンＥおよび／またはビタミンＣ
を含有する抗酸化製剤。
【請求項２】
(a)  アンソシアノシド、イソフラボングルコシドおよびポリフェノールよりなる群から選択される少なくとも２つの活性成分、および
(b)  トコフェロールおよび／またはアスコルビン酸
を含有する抗酸化製剤。
【請求項３】
成分(a)および(b)を固形分に基づき1:9〜9:1の重量比で含有することを特徴とする請求項１または２に記載の製剤。
【請求項４】
封入形態で存在することを特徴とする請求項１〜３のいずれかに記載の製剤。
【請求項５】
膜および活性成分を含有するマトリックスからなり、
(i)  ゲル形成剤、キトサンおよび請求項１または２に記載の成分(a)および(b)からマトリックスを調製し、
(ii)  要すれば、マトリックスを油相中で分散し、
(iii)  分散マトリックスをアニオン性ポリマー水溶液で処理し、要すれば、油相を工程から除去する、
ことにより得ることのできる平均径0.1〜5mmのマイクロカプセル。
【請求項６】
膜および活性成分を含有するマトリックスからなり、
(i)  ゲル形成剤、アニオン性ポリマーおよび請求項１または２に記載の成分(a)および(b)からマトリックスを調製し、
(ii)  要すれば、マトリックスを油相中で分散し、
(iii)  分散マトリックスをキトサン水溶液で処理し、要すれば、油相を工程から除去する、
ことにより得ることのできる平均径0.1〜5mmのマイクロカプセル。
【請求項７】
膜および活性成分を含有するマトリックスからなる平均径0.1〜5mmのマイクロカプセルの製造方法であって、
(i)  ゲル形成剤、キトサンおよび請求項１または２に記載の成分(a)および(b)からマトリックスを調製し、
(ii)  要すれば、マトリックスを油相中で分散し、
(iii)  分散マトリックスをアニオン性ポリマー水溶液で処理し、要すれば、油相を工程から除去する、
マイクロカプセルの製造方法。
【請求項８】
膜および活性成分を含有するマトリックスからなる平均径0.1〜5mmのマイクロカプセルの製造方法であって、
(i)  ゲル形成剤、アニオン性ポリマーおよび請求項１または２に記載の成分(a)および(b)からマトリックスを調製し、
(ii)  要すれば、マトリックスを油相中で分散し、
(iii)  分散マトリックスをキトサン水溶液で処理し、要すれば、油相を工程から除去する、
マイクロカプセルの製造方法。
【請求項９】
ヘテロ多糖類またはタンパク質をゲル形成剤として用いることを特徴とする請求項７または８に記載の方法。
【請求項１０】
アガロース、寒天、ペクチン、キサンタンおよびそれらの混合物をヘテロ多糖類として用いることを特徴とする請求項９に記載の方法。
【請求項１１】
ゼラチンをタンパク質として用いることを特徴とする請求項９に記載の方法。
【請求項１２】
平均分子量が10,000〜500,000または800,000〜1,200,000ダルトンのキトサンを用いることを特徴とする請求項７〜９のいずれかに記載の方法。
【請求項１３】
アルギン酸塩、アニオン性キトサン誘導体、ポリ（メタ）アクリレートおよびカルボキシメチルセルロースよりなる群から選択されるアニオン性ポリマーを用いることを特徴とする請求項７〜１２のいずれかに記載の方法。
【請求項１４】
請求項１または２に記載の成分(a)および(b)を、化粧品に許容される溶剤中でレシチンおよび／またはリン脂質により処理することにより得ることのできるプロリポソーム活性物質混合物。
【請求項１５】
請求項１または２に記載の成分(a)および(b)を、化粧品に許容される溶剤中でレシチンおよび／またはリン脂質により処理する、プロリポソーム活性物質混合物の製造方法。
【請求項１６】
任意に封入された請求項１〜５、１３のいずれかに記載の活性物質混合物の抗酸化剤としての使用。
【請求項１７】
任意に封入された請求項１〜５、１３のいずれかに記載の活性物質混合物の老化防止成分としての使用。
【請求項１８】
任意に封入された請求項１〜６、１４のいずれかに記載の活性物質混合物の化粧品および／または医薬品製剤製造のための使用。
【請求項１９】
任意に封入された請求項１〜６、１４のいずれかに記載の活性物質混合物の補助食品としての使用。
【請求項２０】
任意に封入された請求項１〜６、１４のいずれかに記載の活性物質混合物の動物飼料添加物としての使用。
【請求項２１】
任意に封入された請求項１〜６、１４のいずれかに記載の活性物質混合物の局所適用のための使用。
【請求項２２】
任意に封入された請求項１〜６、１４のいずれかに記載の活性物質混合物の経口適用のための使用。
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
(a)抗体MH9A3由来の、もしくは抗体MH9D1由来の、もしくは抗体MH9L1由来の少なくとも1種類のCDR、
(b)抗体MH9A3由来の、もしくは抗体MH9D1由来の、もしくは抗体MH9L1由来の少なくとも2種類のCDR、
(c)抗体MH9A3由来の、もしくは抗体MH9D1由来の、もしくは抗体MH9L1由来の少なくとも3種類のCDR、
(d)抗体MH9A3由来の、もしくは抗体MH9D1由来の、もしくは抗体MH9L1由来の少なくとも4種類のCDR、
(e)抗体MH9A3由来の、もしくは抗体MH9D1由来の、もしくは抗体MH9L1由来の少なくとも5種類のCDR、または
(f)抗体MH9A3由来の、もしくは抗体MH9D1由来の、もしくは抗体MH9L1由来の6種類すべてのCDRを含む、IL-9と特異的に結合する単離抗体もしくは抗体断片。
【請求項２】
a)表2に記載の軽鎖生殖細胞系列配列のうち1種類からの軽鎖フレームワーク領域と組み合わされた抗体MH9A3由来の、または抗体MH9D1由来の、または抗体MH9L1由来の軽鎖CDR、およびb)表2に記載の重鎖生殖細胞系列配列のうち1種類からの重鎖フレームワーク領域と組み合わされた抗体MH9A3由来の、または抗体MH9D1由来の、または抗体MH9L1由来の重鎖CDRを含む、IL-9と特異的に結合する単離抗体または抗体断片。
【請求項３】
a)請求項2に記載の抗体の軽鎖可変領域の軽鎖可変領域と少なくとも80%同一なアミノ酸配列を有する軽鎖可変領域、または
b)請求項2に記載の抗体の重鎖可変領域の重鎖可変領域と少なくとも80%同一なアミノ酸配列を有する重鎖可変領域、または
c)(a)と(b)の双方を含む単離抗体。
【請求項４】
a)請求項2に記載の抗体の軽鎖可変領域の軽鎖可変領域と少なくとも90%同一なアミノ酸配列を有する軽鎖可変領域、または
b)請求項2に記載の抗体の重鎖可変領域の重鎖可変領域と少なくとも90%同一なアミノ酸配列を有する重鎖可変領域、または
c)(a)と(b)の双方を含む請求項3に記載の抗体。
【請求項５】
前記抗体または抗体断片は、
(a)全免疫グロブリン分子、
(b)scFv、
(c)モノクローナル抗体、
(d)ヒト、
(e)キメラ、
(f)ヒト化、
(g)Fab断片
(h)Fab'断片、
(i)F(ab)2、
(j)Fv、
(k)ジスルフィド結合Fv、または
(l)二重特異的抗体である、請求項1、2、3、または4に記載の単離抗体または抗体断片。
【請求項６】
抗体は、
(a)107M〜108Mの解離定数(Kd)、
(b)108M〜109Mの解離定数(Kd)、
(c)109M〜1010Mの解離定数(Kd)、
(d)1010M〜1011Mの解離定数(Kd)、
(e)1011M〜1012Mの解離定数(Kd)、および
(f)1012M〜1013Mの解離定数(Kd)からなる群から選択される解離定数(Kd)を有する請求項5に記載の単離抗体または抗体断片。
【請求項７】
IL-9活性を阻害する請求項6に記載の単離抗体。
【請求項８】
気管支過敏症、アトピー性アレルギー、喘息、ムチン過剰産生、慢性閉塞性肺疾患、嚢胞性線維症、上皮細胞過形成、過剰なT細胞、B細胞、好酸球、マクロファージ、単球、好中球、または肥満細胞活性の予防、改善、または治療において使用するための薬物の調製における、請求項7に記載の抗体の使用。
【請求項９】
マウス抗体MH9A3、MH9D1、またはMH9L1の単離抗体または抗体断片誘導体であって、誘導体はIL-9と特異的に結合し、前記マウス抗体の1種類または複数のCDRは変異している単離抗体または抗体断片誘導体。
【請求項１０】
CDRは、1種類の変異、2種類の変異、3種類の変異、4種類の変異、または5種類の変異を有している請求項9に記載の単離抗体または抗体断片。
【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2005535586.tif 000001
（式中、
R1は、酸素、窒素及びイオウから独立に選択される４個以下のへテロ原子を含む５又は６員の単環式へテロアリール環（この環は、C1-6アルキル、-(CH2)m-C3-7シクロアルキル、ハロゲン、シアノ、トリフルオロメチル、イミノ、オキソ、-(CH2)mOR5、-(CH2)mCOR5、-(CH2)mS(O)tR5、-(CH2)mNR5R6、-(CH2)mCONR5R6、-(CH2)mNHCOR5、-(CH2)mSO2NR5R6、-(CH2)mNHSO2R5及びC1-2アルキルで任意に置換される５員ヘテロアリール環から選択される２個以下の置換基で任意に置換される）であり；
R2は、水素、メチル、クロロ及びフルオロから選択され；
R3は、メチル及びクロロから選択され；
R4は、-NH-CO-R7及び-CO-NH-(CH2)q-R8から選択され；
R5は、水素、２個以下のOH基で任意に置換されるC1-6アルキル、-(CH2)m-C3-7シクロアルキル、R16で任意に置換される-(CH2)mフェニル、並びにR16で任意に置換される-(CH2)mヘテロアリールから選択され、
R6は、水素及びC1-6アルキルから選択されるか、あるいは、
R5及びR6は、それらが結合した窒素原子と一緒に、５又は６員複素環（これは、上記に加え、酸素、イオウ及びN-R9から独立に選択される１個のヘテロ原子を任意に含む）を形成し；
R7は、水素、C1-6アルキル、-(CH2)q-C3-7シクロアルキル、トリフルオロメチル、R10及び／又はR11で任意に置換される-(CH2)rヘテロアリール、並びにR10及び／又はR11で任意に置換される-(CH2)rフェニルから選択され；
R8は、水素、C1-6アルキル、C3-7シクロアルキル、CONHR12、R10及び／又はR11で任意に置換されるフェニル、並びにR10及び／又はR11で任意に置換されるヘテロアリールであり；
R9は、水素及びメチルから選択され；
R10は、C1-6アルキル、C1-6アルコキシ、-(CH2)q-C3-7シクロアルキル、-CONR12R13、-NHCOR13、ハロゲン、CN、-(CH2)sNR14R15、トリフルオロメチル、１つ以上のR11基で任意に置換されるフェニル、並びに１以上のR11基で任意に置換されるヘテロアリールから選択され；
R11は、C1-6アルキル、C1-6アルコキシ、ハロゲン、トリフルオロメチル、及び-(CH2)s-NR14R15から選択され；
R12及びR13は、各々独立に、水素及びC1-6アルキルから選択されるか、あるいは、
R12及びR13は、それらが結合した窒素原子と一緒に、５又は６員複素環式環（これは、上記に加え、酸素、イオウ及びN-R9から独立に選択される１個のヘテロ原子を任意に含む）を形成し、その際、この環は、２個以下のC1-6アルキル基で置換されていてもよい；
R14は、水素、C1-6アルキル、並びにC1-6アルキルで任意に置換される-(CH2)q-C3-7シクロアルキルから選択され、
R15は、水素及びC1-6アルキルから選択されるか、あるいは、
R14及びR15は、それらが結合した窒素原子と一緒に、５又は６員複素環（これは、上記に加え、酸素、イオウ及びN-R9から独立に選択される１個のヘテロ原子を任意に含む）を形成する；
R16は、ハロゲン、C1-6アルキル、ヒドロキシ、C1-6アルコキシ及びトリフルオロメチルから選択され；
Uは、メチル及びハロゲンから選択され；
X及びYは各々独立に、水素、メチル及びハロゲンから選択され；
ｍは、０、１、２及び３から選択され；
ｎは、０、１、２から選択され；
ｑは、０、１、２から選択され；
ｒは、０及び１から選択され；
ｓは、０、１、２及び３から選択され；
ｔは、０、１、２から選択される。
【請求項２】
R1が、酸素、窒素及びイオウから独立に選択される２、３もしくは４個のへテロ原子を含む５員の単環式へテロアリール環（この環は、C1-4アルキル、-(CH2)m-C3-7シクロアルキル、イミノ、-(CH2)mOR5、-(CH2)mCOR5、-(CH2)mNR5R6、-(CH2)mNHCOR5、-(CH2)mNHSO2R5及びC1-2アルキルで任意に置換される５員ヘテロアリール環から選択される２個以下の置換基で任意に置換される）である、請求項１に記載の化合物。
【請求項３】
R2が水素である、請求項１又は２に記載の化合物。
【請求項４】
R3がメチルである、請求項１〜３のいずれか１項に記載の化合物。
【請求項５】
Xがフッ素である、請求項１〜４のいずれか１項に記載の化合物。
【請求項６】
R7が、R10及び／又はR11で任意に置換される-(CH2)rヘテロアリールである、請求項１〜５のいずれか１項に記載の化合物。
【請求項７】
R8が、C3-6シクロアルキル、R10及び／又はR11で任意に置換されるフェニル、並びにR10及び／又はR11で任意に置換されるヘテロアリールから選択される、請求項１〜６のいずれか１項に化合物。
【請求項８】
実施例１〜81のいずれか１つにおいて定義される、請求項１に記載の化合物。
【請求項９】
薬学的に許容される１種以上の担体、希釈剤もしくは賦形剤が添加される、請求項１〜８のいずれか１項に記載の化合物を含む医薬組成物。
【請求項１０】
治療に用いるための請求項１〜８のいずれか１項に記載の化合物。
【請求項１１】
p38キナーゼ活性が媒介する、又はp38キナーゼの活性によって産生されるサイトカインが媒介する症状若しくは疾患の治療に用いるための医薬の製造における請求項１〜８のいずれか１項に記載の化合物の使用。
【請求項１２】
請求項１〜８のいずれか１項に記載の式（Ｉ）の化合物の製造方法であって、
式（II）の化合物：
【化２】
2005535586.tif 000002
（式中、R1、R2、U及びnは請求項１に定義した通りであり、Zはハロゲンである）
を、式（III）の化合物：
【化３】
2005535586.tif 000003
（式中、R3、R4、X及びYは請求項１に定義した通りである）
と触媒の存在下で反応させることを含む、上記方法。
【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
肺粘膜の表面が刺激されそして該表面が不安定化される肺障害または肺感染の処置のための処方物であって、該処方物は、高い歪み速度では肺粘液内層液の1つ以上の物理的特性を有意に変えて、病原体の出芽の起きた肺の領域内の表面不安定性を減少させるが、低い歪み速度では該1つ以上の物理的特性を有意には変えない物質の有効量を含む、処方物。
【請求項２】
前記肺粘液内層液の物理的特性が、表面張力、表面弾性、表面の粘性、および層の厚みからなる群より選択される、請求項１に記載の処方物。
【請求項３】
前記物質が、所定の剪断領域における肺粘膜での小滴形成率を有意に減少させるために有効な量である、請求項１に記載の処方物。
【請求項４】
１０μｍ未満の粒子の乾燥粉末を含有する、請求項１に記載の処方物。
【請求項５】
溶液である、請求項１に記載の処方物。
【請求項６】
前記物質が、１つ以上の界面活性剤である、請求項１に記載の処方物。
【請求項７】
前記界面活性剤が、Ｌ−α−ホスファチジルコリンジパルミトイル（「ＤＰＰＣ」）、ジホスファチジルグリセロール（ＤＰＰＧ）、１，２−ジパルミトイル−ｓｎ−グリセロ−３−ホスホ−Ｌ−セリン（ＤＰＰＳ）、１，２−ジパルミトイル−ｓｎ−グリセロ−３−ホスホコリン（ＤＳＰＣ）、１，２−ジステアロイル−ｓｎ−グリセロ−３−ホスホエタノールアミン（ＤＳＰＥ）、１−パルミトイル−２−オレオイルホスファチジルコリン（ＰＯＰＣ）、脂肪アルコール、ポリオキシエチレン−９−ラウリルエーテル、界面活性脂肪酸、ソルビタントリオレエート（Ｓｐａｎ  ８５）、グリココレート、サーファクチン、ポロクソマー、ソルビタン脂肪酸エステル、チロキサポール、リン脂質、およびアルキル化糖類からなる群から選択される界面活性剤からなる群から選択される、請求項６に記載の処方物。
【請求項８】
前記物質が、多糖類または合成ポリマーを含有する、請求項１に記載の処方物。
【請求項９】
前記溶液が、有機溶媒である、請求項５に記載の処方物。
【請求項１０】
抗ウイルス剤、抗生物質、気管支拡張剤、およびステロイドからなる群から選択される化合物をさらに含有する、請求項１に記載の処方物。
【請求項１１】
ポリマー、多糖類、またはタンパク質をさらに含有する、請求項１に記載の処方物。
【請求項１２】
結核菌、ＳＡＲＳ、インフルエンザ、サイトメガロウイルス、ＲＳウイルス、および口蹄疫からなる群から選択される感染因子の感染性を制限するために有効な量である、請求項１に記載の処方物。
【請求項１３】
動物における病原体の出芽を制限するための装置であって、該装置は、
動物を通過させるテントまたは他の封じ込め設備、および
病原体の出芽が発生する肺の領域内の表面不安定性を減少させるために、有効な量の物質を含有する溶液を撒布する噴霧器であって、該有効な量の物質が、高い歪み速度では肺粘液内層液の1つ以上の物理的特性を有意に変えるが、低い歪み速度では該1つ以上の物理的特性を有意には変えない、噴霧器
を備える装置。
【請求項１４】
前記動物における病原体の出芽を制限するためのシステムであって、該システムは、請求項１３に記載の装置に動物を通過させる手段であって、該装置は前記テントまたは他の封じ込め設備を該動物が通過する際に、該動物に噴霧される溶液を投与するように構成される、システム。
【請求項１５】
肺粘膜の表面が刺激されそして該表面が不安定化される肺障害または肺感染を処置するための薬学的組成物であって、該薬学的組成物が、請求項１〜１２のいずれか１つに記載の処方物をヒトまたは動物に肺投与するために処方される、薬学的組成物。
【請求項１６】
前記処方物が、肺疾患または肺障害の処置のための処方物である、請求項１５に記載の薬学的組成物。
【請求項１７】
前記疾患が、ウイルス感染である、請求項１６に記載の薬学的組成物。
【請求項１８】
前記ウイルスが、ＳＡＲＳ、インフルエンザ、口蹄疫、ＲＳＶおよびサイトメガロウイルスからなる群から選択される、請求項１７に記載の薬学的組成物。
【請求項１９】
前記障害が、アレルギーまたは喘息である、請求項１６に記載の薬学的組成物。
【請求項２０】
前記処方物が、乾燥粉末吸入器での投与のための処方物である、請求項１５に記載の薬学的組成物。
【請求項２１】
前記処方物が、計量吸入器での投与のための処方物である、請求項１５に記載の薬学的組成物。
【請求項２２】
前記処方物が、噴霧器での投与のための処方物である、請求項１５に記載の薬学的組成物。
【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
式Ｉ
【化１】
2005535584.tif 000001
（式中、Ｒ1は−（Ｃ5〜Ｃ17）−アルキルまたは−（Ｃ5〜Ｃ17）−アルケニルである）
の化合物
または式Ｉの立体異性型の化合物
または式Ｉの化合物の生理学的に許容できる塩。
【請求項２】
Ｒ1が−（Ｃ11〜Ｃ15）−アルキルまたは−（Ｃ11〜Ｃ15）−アルケニルである請求項
１に記載の式Ｉの化合物。
【請求項３】
式II
【化２】
2005535584.tif 000002
の化合物である請求項１または２に記載の式Ｉの化合物。
【請求項４】
少なくとも１つの脂質ナノ粒子と請求項１に記載の式Ｉ
【化３】
2005535584.tif 000003
（式中、Ｒ1は−（Ｃ5〜Ｃ17）−アルキルまたは−（Ｃ5〜Ｃ17）−アルケニルである）
の少なくとも１つの化合物
または式Ｉの立体異性型の１つの化合物
または式Ｉの化合物の生理学的に許容できる１つの塩
を含む医薬製剤。
【請求項５】
Ｒ1が−（Ｃ11〜Ｃ15）−アルキルまたは−（Ｃ11〜Ｃ15）−アルケニルである式Ｉの
化合物を含む請求項４に記載の医薬製剤。
【請求項６】
式II
【化４】
2005535584.tif 000004
の化合物を含む請求項４または５に記載の医薬製剤。
【請求項７】
ａ）式III
【化５】
2005535584.tif 000005
の化合物を式IV              
【化６】
2005535584.tif 000006
（式中、Ｒ1は式Ｉに定義されたとおりであり、またＸはハロゲン基である）
の活性化された脂肪酸と反応させて、式Ｉの化合物を得るか、または
ｂ）方法ａ）によって製造される式Ｉの化合物であって、この化学構造の故に鏡像異性体の形で存在する化合物を、鏡像異性体的に純粋な酸または塩基による塩の生成、キラル固定相上でのクロマトグラフィーまたはアミノ酸のようなキラル化合物の使用による誘導、このようにして得たジアステレオマーの分離、およびキラル基の除去によって純粋な鏡像異性体に分別するか、または
ｃ）ａ）の方法によって遊離した形で生成された式Ｉの化合物を単離するか、または酸性基もしくは塩基性基が存在する場合、この化合物を生理学的に許容できる塩に転換する
ことからなる、請求項１〜３のいずれかに記載の式Ｉの化合物の製造方法。
【請求項８】
医薬として好適でありまた生理学的に許容できる担体、添加剤および／または他の活性成分および賦形剤とともに、請求項１〜３のいずれかに記載の少なくとも１つの式Ｉの化合物を有効な含有率で含む薬剤。
【請求項９】
脂質／界面活性剤の熱溶液中で式Ｉの化合物を高圧で均質化し、引き続いて冷却することからなる、請求項４〜６のいずれかに記載の医薬製剤を製造する方法。
【請求項１０】
式Ｉの化合物を、室温で液体である脂質とともに高圧で均質化することからなる請求項４〜６のいずれかに記載の製剤の製造方法。
【請求項１１】
界面活性剤および水が１つの槽内に秤り入れられ、そして式Ｉの化合物および脂質が他の槽内に秤り入れられ、２つの槽の内容物が該脂質の融点より約１０℃高い温度まで加熱され、次いで２つの槽の内容物が一緒にされ、そしてその混合物が高圧ホモジナイザーの使用により均質化されそして最後に冷却され、その際に脂質が結晶化して脂質のナノ粒子が生成する、請求項９または１０に記載の製剤を製造する方法。
【請求項１２】
Ｐｒｅｃｉｒｏｌ、Ｃｏｍｐｒｉｔｏｌ、Ｍｏｎｏｓｔｅｏｌ、Ｉｍｗｉｔｏｒ、Ｓｏｆｔｉｓａｎ、ホスファチジルエタノールアミンまたは脂質の混合物が脂質として使用され、そしてポロキサマーが界面活性剤として使用される、請求項９〜１１のいずれかに記載の方法。
【請求項１３】
男性ホルモン性脱毛症、多毛症、脂漏症またはアクネの治療のための薬剤を製造するための請求項１〜３のいずれかに記載の式Ｉの化合物の使用。
【請求項１４】
化粧品における、請求項１〜３のいずれかに記載の式Ｉの化合物または請求項４〜６のいずれかに記載の製剤の使用。
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
トークン圧縮メッセージを受信し、
前記受信したトークン圧縮メッセージにおいて、入力メッセージを解凍することなく、ネットワーク装置からのシンプル装置記述応答を要求する入力シンプル装置記述クエリメッセージを認識し、
シンプル装置記述応答を要求する入力シンプル装置クエリメッセージへの応答として、装置形式を有するシンプル装置記述を送信することを有するネットワーク装置を動作する方法。
【請求項２】
請求項１に記載の方法であって、
シンプル装置記述を送信するステップが、前記ネットワーク装置のメモリから所定のシンプル装置記述を読み取り、前記所定のシンプル装置記述を送信することを有する方法。
【請求項３】
請求項１又は２に記載の方法であって、
前記ネットワーク装置が無線ネットワークの一部であり、
トークン圧縮メッセージを受信し、前記シンプル装置記述を受信するステップが、無線信号を使用する方法。
【請求項４】
トークン圧縮された人間に解読可能なメッセージを送受信するトランシーバと、
トークン圧縮された人間に解読可能なメッセージの入力時に、
前記入力メッセージを解凍することなく、ネットワーク装置からのシンプル装置記述応答を要求する受信した装置クエリメッセージを認識するステップと、
シンプル装置記述応答を要求する入力装置クエリメッセージへの応答として、装置形式を有するシンプル装置記述を前記トランシーバを通じて送信するステップと
を実行するように構成されたメッセージハンドラと
を有するネットワーク装置
【請求項５】
請求項４に記載のネットワーク装置であって、
人間に解読可能なフォーマットから事前に圧縮された所定のシンプル装置記述メッセージを格納するメモリを更に有し、
前記メッセージハンドラは、前記メモリから前記所定のシンプル装置記述メッセージを読み取り、入力装置クエリメッセージに応じて前記トランシーバを通じて前記メッセージを送信するように構成されたネットワーク装置。
【請求項６】
それぞれネットワークメッセージを送受信するトランシーバを有する複数のネットワーク装置と、
他の装置にシンプル装置クエリメッセージを送信し、シンプル装置記述メッセージを受信し、他の装置から受信した後にシンプル装置記述メッセージを解釈するように構成された少なくとも１つのネットワーク装置とを有するシステムであって、
各ネットワーク装置は、装置の形式を表す装置形式値を有する定められた長さのシンプル装置記述メッセージを送信することにより、その他の装置からの入力シンプル装置クエリメッセージに応答するように構成され、
前記複数のネットワーク装置は、メッセージを解凍する機能を備えず、圧縮メッセージを直接解釈する少なくとも１つの簡単な装置と、前記メッセージを解凍するメッセージ解凍構成と前記解凍されたメッセージを解釈するメッセージ解釈器とを有する少なくとも１つの複雑な装置とを有するシステム。
【請求項７】
請求項６に記載のシステムであって、
各簡単な装置は、人間に解読可能なフォーマットから事前に圧縮された所定のシンプル装置記述メッセージを格納するメモリを更に有し、
メッセージハンドラは、前記メモリから前記所定のシンプル装置記述メッセージを読み取り、入力装置クエリメッセージに応じて前記トランシーバを通じて前記メッセージを送信するように構成されたシステム。
【請求項８】
請求項６又は７に記載のシステムであって、
前記ネットワーク装置は、メッセージをデコードし、前記デコードされたメッセージで動作するように構成されたメッセージ解凍ユニットを有する少なくとも１つの装置を有するシステム。
【請求項９】
トークン圧縮メッセージを受信するコードと、
前記受信したトークン圧縮メッセージにおいて、入力メッセージを解凍することなく、ネットワーク装置からのシンプル装置記述応答を要求する入力シンプル装置記述クエリメッセージを認識するコードと、
シンプル装置記述応答を要求する入力シンプル装置クエリメッセージへの応答として、装置形式を有するシンプル装置記述を送信するコードと
を有するコンピュータプログラム。
【手続補正書】
【提出日】平成18年8月1日(2006.8.1)
【手続補正１】
【補正対象書類名】特許請求の範囲
【補正対象項目名】請求項６
【補正方法】変更
【補正の内容】
【請求項６】
前記接地面（３）が、基板（２）の下側に配置され、表面全体に延び、１０μｍより大きい厚さを有することを特徴とする請求項１に記載のアンテナシステム。
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
デジタルビデオデータのトリックプレイモードにおける動作をユーザ制御下で実施する方法であって、
ディスプレイ機器にユーザインターフェイスを設けるステップと、
トリックプレイモードが動作するスピードを選択するように前記ユーザインターフェイス上で前記ユーザに促すステップと、
前記選択されたスピードをどのように実施するかを選択するように前記ユーザインターフェイス上で前記ユーザに促すステップとを有することを特徴とする方法。
【請求項２】
請求項１に記載の方法であって、前記トリックプレイモードは早送り動作であることを特徴とする方法。
【請求項３】
請求項１に記載の方法であって、前記トリックプレイモードは巻き戻し動作であることを特徴とする方法。
【請求項４】
請求項１に記載の方法であって、前記選択されたスピードをどのように実施するかを選択するステップは、
１つの表示されたＩフレームの後で後続のＩフレームをいくつスキップするかを選択するステップと、
各表示されたＩフレームをどのくらい長く表示するかを選択するステップとを有することを特徴とする方法。
【請求項５】
請求項１に記載の方法であって、前記選択されたスピードをどのように実施するかを選択するステップは、
フレームを表示する時間と、
前記デジタルビデオデータを表示するスピードとを選択するステップを有し、
前記方法は、
１つのフレームを表示した後で、いくつのフレームをスキップするかを算出するステップをさらに有することを特徴とする方法。
【請求項６】
請求項１に記載の方法であって、後で呼び出すために選択された内容を格納するステップをさらに有することを特徴とする方法。
【請求項７】
請求項１に記載の方法であって、前記デジタルビデオデータはＭＰＥＧ標準により圧縮され、前記トリックプレイモード中にＢフレームおよびＰフレームをいくつ挿入するかを選択するように、前記ユーザインターフェイスにおいて前記ユーザに促すステップをさらに有することを特徴とする方法。
【請求項８】
請求項１に記載の方法であって、前記選択されたスピードをどのように実施するかを選択するステップは、
各Ｉフレームをどのくらい長く表示するかを選択するステップと、
各Ｉフレームを何回表示するかを選択するステップとを有することを特徴とする方法。
【請求項９】
請求項１に記載の方法であって、選択された基準に基づき表示するビデオストリームを生成するステップをさらに有することを特徴とする方法。
【請求項１０】
請求項１に記載の方法であって、前記ユーザが選択できるように、選択可能な内容のリストが前記ユーザインターフェイス上に表示されることを特徴とする方法。
【請求項１１】
デジタルビデオデータのトリックプレイモードにおける動作をユーザ制御下で実施する装置であって、
ビデオスクリーンにユーザインターフェイスを設ける手段と、
トリックプレイモードが動作するスピードを選択するように前記ユーザインターフェイス上で前記ユーザに促す手段と、
前記選択されたスピードをどのように実施するかを選択するように前記ユーザインターフェイス上で前記ユーザに促す手段と、
ユーザ入力を受けるユーザ入力手段と、
を有することを特徴とする装置。
【手続補正２】
【補正対象書類名】明細書
【補正対象項目名】０００２
【補正方法】変更
【補正の内容】
【０００２】
ＭＰＥＧビデオは３タイプの圧縮ピクチャを利用する。すなわち、フレーム内符号化デジタルビデオデータ（Ｉフレーム）、前方向予測符号化データ（Ｐフレーム）、および双方向予測符号化データ（Ｂフレーム）である。ＩフレームとＰフレームはアンカーフレームと呼ばれる。Ｉフレームは他のデータに頼らずにそれ自体で復号できる。Ｐフレームはその前に復号されたアンカーフレームからのデータがなければ復号できない。Ｂフレームはその前と後ろ両方のアンカーフレームからのデータがなければ復号できない。
【手続補正３】
【補正対象書類名】明細書
【補正対象項目名】０００６
【補正方法】変更
【補正の内容】
【０００６】
また、早送りプレイと早戻しプレイは様々な方法で実施することができる。例えば、各Ｉフレームを表示する時間の長さを可変することもできる。各Ｉフレームが表示されるスピードと時間を可変することにより、ビデオデータをいろいろ異なるように表示（ビジュアルプレゼンテーション）することができる。しかし、ユーザごとに好ましい表示（ビジュアルプレゼンテーション）の仕方は異なる。よって、個々のユーザがトリックプレイの振る舞いを制御可能とし、そのトリックプレイの実施をユーザの好みに合うようにする必要性がある。
【手続補正４】
【補正対象書類名】明細書
【補正対象項目名】０００９
【補正方法】変更
【補正の内容】
【０００９】
本発明の一実施形態によると、デジタルビデオデータのトリックプレイモード動作をユーザが制御して実施する方法と装置が開示されている。ビデオスクリーンにユーザインターフェイスが設けられる。ユーザは、トリックプレイモードを動作させるスピードを選択するようにそのユーザインターフェイス上で促される。その後、選択したスピードをどのように実施するかを選択するようにそのユーザインターフェイス上で促される。
本発明の他の実施形態によると、ユーザが所望の動作モードを選択できる、可能な実施のリスト（所定の動作モード）がユーザインターフェイスに表示される。
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
ブロッキングアーチファクトに対応するグリッドを検出することが意図される、デジタル画像の系列を処理する方法であって、
画像の一部内にある空間グリッドを検出するステップと、
現在の空間グリッドと前の基準グリッドから現在の基準グリッドを決定するステップと、
を有することを特徴とする画像処理方法。
【請求項２】
該空間グリッド及び該基準グリッドは、少なくとも１つのブロックアーチファクトからなるセットを含み、該基準グリッドは、少なくとも１つのブロックアーチファクトからなるセットに関連するインジケータを有し、該現在の基準グリッドのインジケータは、該前の基準グリッドの対応するインジケータ、及び該現在の空間グリッドにおける該インジケータと関連する少なくとも１つのブロックアーチファクトからなるセットの有無から更新される、
請求項１記載の画像処理方法。
【請求項３】
該ブロックアーチファクトからなるセットは、隣接する行のブロッキングアーチファクトの密度よりも実質的に高いブロッキングアーチファクトの密度を有する画像の一部の行により構成される、
請求項２記載の画像処理方法。
【請求項４】
該空間グリッドを検出するステップは、少なくとも１つの不連続の画素からなるカードが供給されて、該少なくとも１つの不連続の画素からなるカードから第一のタイプのブロックアーチファクト及び第二のタイプのブロックアーチファクトが検出されるように、画像の一部に高域通過フィルタによるフィルタリング処理を行うことが意図される、
請求項１記載の画像処理方法。
【請求項５】
ブロックアーチファクトのタイプに従って、該現在の基準グリッドに存在するブロッキングアーチファクトを補正するステップを有する、
請求項４記載の画像処理方法。
【請求項６】
該現在の基準グリッドのブロッキングアーチファクトからなるセットに関連されるインジケータの値に従って、該現在の基準グリッドのブロッキングアーチファクトからなるセットに存在するブロッキングアーチファクトを補正するステップを備える、
請求項２記載の画像処理方法。
【請求項７】
請求項５又は６記載のデータ処理方法を使用した処理装置を有するテレビジョン受像機であって、デジタル画像の系列内の基準グリッドを検出し、該受像機のスクリーンに補正されたデジタル画像を表示するために該グリッドに存在するブロッキングアーチファクトを補正することが意図される、
テレビジョン受像機。
【請求項８】
ブロッキングアーチファクトに対応するグリッドを検出することが意図される、デジタル画像の系列を処理する装置であって、
画像の一部内の空間グリッドを検出する手段と、
現在の空間グリッドと前の基準グリッドから現在の基準グリッドを決定する手段と、
を有することを特徴とする画像処理装置。
【請求項９】
命令からなるセットを含むコンピュータプログラムであって、回路にロードされたときに、請求項１乃至６のいずれか記載のデジタル画像を処理する方法を該回路に実行させる、
ことを特徴とするコンピュータプログラム。
【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
レゾルバーまたはエンコーダーのいずれかを交互に適応させるように適合されるモーターアセンブリであって、該モーターアセンブリは：
ａ）その内部に位置付けられる凹部を備える上端部分を有するモーターハウジング；
ｂ）該ハウジングの凹部から延びる回転可能な軸；
ｃ）該軸に隣接し、該凹部内にフィットするように適合されるリング状のコネクタであって、該リング状のコネクタは、サーボリングおよび可撓性コネクタを備える、リング状のコネクタ；ならびに
ｄ）該コネクタに接続され、該軸がそこを通過できるように適合され、それによって該モーターがレゾルバーまたはエンコーダーを交互に適応させ得る、エンコーダー、
を備える、モーターアセンブリ。
【請求項２】
前記サーボリングが、その外周の周りに延びるリッジを備える、請求項１に記載のモーターアセンブリ。
【請求項３】
前記サーボリングが、そこから上向きに延びるピンを備え、該ピンは、前記可撓性コネクタを係合するように適合されている、請求項２に記載のモーターアセンブリ。
【請求項４】
前記可撓性コネクタが、前記サーボリングのピンを適応させるように適合される少なくとも１つの第１の開口部を備える、請求項３に記載のモーターアセンブリ。
【請求項５】
前記エンコーダーが、そこから下向きに延びるピンをさらに備え、該ピンは、前記可撓性コネクタを係合するように適合される、請求項４に記載のモーターアセンブリ。
【請求項６】
前記可撓性コネクタが、前記エンコーダーのピンを適応させるように適合される少なくとも１つの第２の開口部を備える、請求項５に記載のモーターアセンブリ。
【請求項７】
前記可撓性コネクタが薄鋼材料から形成され、かつ前記サーボリングがプラスチック材料から形成される、請求項６に記載のモーターアセンブリ。
【請求項８】
前記エンコーダーが光学エンコーダーである、請求項６に記載のモーターアセンブリ。
【請求項９】
内部に位置付けられる湾曲した凹部を備える上面と、該上面から外向きに延びる回転可能な軸とを有するモーターと共に使用するためのエンコーダーアセンブリであって、該エンコーダーは：
ａ）該凹部内にフィットするように適合されるリング状のコネクタ；および
ｂ）該リング状のコネクタに接続され、該軸がそこを通過できるように適合される、エンコーダー、および
ｃ）該エンコーダーを該モーターに固定するように適合される、単一の留め具要素
を備える、エンコーダーアセンブリ。
【請求項１０】
前記リング状のコネクタが、サーボリングおよび可撓性コネクタを備える、請求項９に記載のエンコーダーアセンブリ。
【請求項１１】
前記単一の留め具要素が薄ナットである、請求項１０に記載のエンコーダーアセンブリ。
【請求項１２】
前記サーボリングが、前記エンコーダーから下向きに延びるピンを適応させるように適合される少なくとも１つの切欠部分を備える、請求項１１に記載のエンコーダーアセンブリ。
【請求項１３】
前記可撓性コネクタが、前記エンコーダーから下向きに延びるピンを受け取る開口部を備える、請求項１２に記載のエンコーダーアセンブリ。
【請求項１４】
レゾルバーまたはエンコーダーのいずれかを交互に適応させるように適合されるモーターアセンブリであって、該モーターアセンブリは：
ａ）その内部に位置付けられた湾曲した凹部を備える上面を有するモーターハウジング；
ｂ）該ハウジングの凹部から延びる回転可能な軸；
ｃ）該軸を取り囲み、該凹部内にフィットするように適合されるコネクタ；
ｄ）該コネクタを係合し、該軸がそこを通過できるように適合され、それによって、該モーターが、レゾルバーまたはエンコーダーを交互に適応させ得る、エンコーダー；および
ｅ）該エンコーダーを該モーターハウジングに固定するように適合される、単一の留め具要素
を備える、モーターアセンブリ。
【請求項１５】
前記留め具要素が薄ナットである、請求項１４に記載のモーターアセンブリ。
【請求項１６】
前記コネクタがサーボリングおよび屈曲要素を備える、請求項１５に記載のモーターアセンブリ。
【請求項１７】
前記サーボリングがプラスチック材料から形成され、屈曲要素が薄鋼材料から形成される、請求項１６に記載のモーターアセンブリ。
【請求項１８】
センサーを有するモーターを組み立てる方法であって、該方法は；
ａ）レゾルバーおよびエンコーダーの一方を適応させるように適合されるモーターを提供する工程；
ｂ）該レゾルバーおよび該エンコーダーの一方と共に、交互に使用されるように適合される、該レゾルバーおよび該エンコーダーの他方を提供する工程であって、それにより、レゾルバーおよびエンコーダーの一方を使用するために適合されるモーターが、レゾルバーまたはエンコーダーの他方に容易に有用である、工程；
ｃ）該レゾルバーのフットプリントを適応させるように適合される、コネクタを備えるエンコーダーを提供する工程；ならびに
ｄ）サーボリングおよび可撓性コネクタを備えるコネクタを提供する工程
を包含する、方法。
【請求項１９】
前記レゾルバーおよび前記エンコーダーの一方がレゾルバーであり、他方がエンコーダーである、請求項１８に記載の方法。
【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
制御回路であって、
電源と電気的に接続するための少なくとも２つの入力端子と、
負荷と電気的に接続するための少なくとも２つの出力端子と、
所定の範囲内にある参照信号に反応してセンサ信号を発信するセンサと、
上記センサ信号を感知し、第１モードと第２モードとを切り替える切り替え装置とを備え、
上記センサはセンサ継電器を有し、
上記切り替え装置は切り替え継電器を有し、
上記第１モードにおいては、上記負荷が上記切り替え継電器を介して上記電源からの電力を受け取れるように、上記入力および出力端子はそれぞれ電気的に接続されており、
上記第２モードにおいては、上記電源が上記切り替え継電器を介して電力を上記負荷に供給しないように、上記入力および出力端子が電気的に遮断されていることを特徴とする制御回路。
【請求項２】
上記センサ継電器は、低電圧ＤＣ継電器であることを特徴とする請求項１に記載の制御回路。
【請求項３】
上記切り替え継電器は、幹線継電器であることを特徴とする請求項２に記載の制御回路。
【請求項４】
上記切り替え継電器は、ＤＣ継電器であることを特徴とする請求項２に記載の制御回路。
【請求項５】
少なくとも２つの幹線導線を有する幹線電源から幹線供給電力を伝送するための配線システムであって、
上記配線システムは現地に設置されており、
上記現地またはその周辺に配置され、上記幹線導線と接続するための１つ以上の一次巻線と、上記幹線供給電力と実質的に等しい現地電圧を提供するための１つ以上の二次巻線とを有する変圧器と、
上記現地に設置され、１つ以上の上記二次巻線と電気的に接続することにより上記現地電圧を上記現地周辺の所定の区域へ配電する少なくとも２つの現地導線と、
上記現地に設置された負荷に接続され、１つ以上の上記現地導線に対する基準電圧を提供する浮動導線とを備えることを特徴とする配線システム。
【請求項６】
制御回路であって、
電源と電気的に接続するための少なくとも２つの入力端子と、
負荷と電気的に接続するための少なくとも２つの出力端子と、
切り替えコイルを有する切り替え継電器と、
所定の条件に対して反応して上記切り替え継電器のコイルに電圧を印加するセンサ継電器とを備え、
上記切り替えコイルは、選択的に電圧印加されることにより上記継電器を２つのモードの間で切り替え、
上記モードの一方においては、上記負荷が上記切り替え継電器を介して上記電源から電力を受け取れるように、上記入力および出力端子はそれぞれ電気的に接続されており、
他方のモードにおいては、上記電源が上記切り替え継電器を介して上記負荷へ電力を供給しないように、上記入力および出力端子が電気的に遮断されていることを特徴とする制御回路。
【請求項７】
上記センサ継電器は、上記故障状態に対応して電圧印加される低電圧コイルを備えていることを特徴とする請求項６に記載の制御回路。
【請求項８】
上記低電圧コイルは、ＤＣ電圧によって電圧印加されることを特徴とする請求項７に記載の制御回路。
【請求項９】
上記低電圧コイルは、約１ボルトのＤＣ電圧によって電圧印加されることを特徴とする請求項８に記載の制御回路。
【手続補正２】
【補正対象書類名】明細書
【補正対象項目名】発明の名称
【補正方法】変更
【補正の内容】
【発明の名称】負荷を電源に電気的に接続する制御回路、および配線システム
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
基板と、
集積回路（ＩＣ）と、
複数のトランジスタを含む電力増幅器回路であって、前記複数のトランジスタはそれに接続された伝送線インダクタを有する、電力増幅器回路と、
を備え、前記複数のトランジスタは前記ＩＣ上に実質的に配置され、前記インダクタは前記基板上に実質的に配置され、前記基板の前記インダクタはワイヤボンドを介して前記ＩＣの前記トランジスタに接続されている、分布型電力増幅器の構造。
【請求項２】
セラミック基板と、
前記セラミック基板上の集積回路（ＩＣ）であって、ドレイン、一連のゲート線伝送インダクタに接続されたゲート、及び接地端子に接続されたソースをそれぞれ有する複数のトランジスタ、及び前記複数のトランジスタのうちの1つのトランジスタのドレインにそれぞれ接続された複数のドレイン線コンデンサを含むＩＣと、
前記セラミック基板上に形成された一連のドレイン線伝送インダクタと、
前記セラミック基板上の各ドレイン線伝送インダクタと前記ＩＣ上の各ドレイン線コンデンサとの間のワイヤボンドの相互接続と、
を備える分布型電力増幅器の構造。
【請求項３】
基板と、
前記基板上に形成された集積回路（ＩＣ）であって、トランジスタ及び該トランジスタに接続された伝送線インダクタの第一セットを含む分布型電力増幅器回路の第一部分を含むＩＣと、
前記基板上に形成され、かつワイヤボンドの相互接続により、前記ＩＣのトランジスタに接続された伝送線インダクタの第二セットと、
を備える分布型電力増幅器の構造。
【手続補正２】
【補正対象書類名】明細書
【補正対象項目名】発明の名称
【補正方法】変更
【補正の内容】
【発明の名称】分布型電力増幅器のためのハイブリッド構造